(57)【特許請求の範囲】
【請求項１】
ケースと、
前記ケースに装着されて食器を受納するラックと、
前記ラックの下方に設けられて洗浄水を噴射する噴射アームと、
前記噴射アームに洗浄水を繰り返して加圧供給するための上部ポンプと、洗浄水を排水するための下部ポンプが含まれる循環／排水兼用ポンプ、及び
前記ケース内部の底面下部で前記循環／排水兼用ポンプにつながる洗浄流路上に形成された集水桶と、前記集水桶に備えられて汚物をろ過するためのフィルタと、前記ケース内部の底面下部に備えられて前記上部ポンプの洗浄吐出口と前記下部ポンプの排水流路とを連結する汚物採集室と、前記汚物採集室上面に装着されて上側に吐出される洗浄水から汚物をろ過するための微細フィルタと、を含むろ過手段が含まれ、
前記循環／排水兼用ポンプには、
駆動モータと、
前記駆動モータと連結され、前記上部ポンプと前記下部ポンプが各々配置されるように、内部空間が洗浄流路と連結される循環部及び排水流路と連結される排水部に両分されるポンプケーシングが含まれることを特徴とする食器洗浄器。
【請求項２】
前記ろ過手段は、前記微細フィルタの自浄作用を遂行する微細フィルタ自浄手段をさらに含み、
前記微細フィルタ自浄手段は前記噴射アームの底面に備えられて下方に洗浄水を噴射することによって微細フィルタに粘着した汚物を払い落とす補助ノズルが含まれることを特徴とする請求項１に記載の食器洗浄器。
【請求項３】
前記汚物採集室には前記上部ポンプの加圧作用により流入する洗浄水の流れを分散させることによって、汚物が前記微細フィルタの一側に集中粘着することを防止する分散手段がさらに含まれることを特徴とする請求項１に記載の食器洗浄器。
【請求項４】
前記汚物採集室には前記上部ポンプの加圧により流入する洗浄水の流れを分散させることによって、汚物が前記微細フィルタの一側に集中粘着することを防止するための阻流板が含まれることを特徴とする請求項１に記載の食器洗浄器。
【請求項５】
前記ろ過手段は、前記微細フィルタの自浄作用を遂行する微細フィルタ自浄手段をさらに含み、
前記フィルタ自浄手段は前記フィルタの外部に配置されて洗浄水が噴射されるようにする異物質洗浄ノズルと、
前記異物質洗浄ノズルに洗浄水が供給されるようにするために両端が前記異物質洗浄ノズルと前記上部ポンプに連結される補助吐出パイプと、
前記上部ポンプの内部に配置されて一定の頂点に支持されて、前記上部ポンプの回転方向によって頂点を中心に回動して、排水作動時に前記上部ポンプにより加圧された洗浄水が前記補助吐出パイプに吐出されるようにする遮断膜が含まれることを特徴とする請求項１に記載の食器洗浄器。
【請求項６】
前記遮断膜は水流の動きに敏感に反応するようにするために三角形のブロック状であることを特徴とする請求項５に記載の食器洗浄器。
【請求項７】
前記下部ポンプは摩擦ポンプであることを特徴とする請求項１に記載の食器洗浄器。
【請求項８】
ケースと、
前記ケースに装着されて食器を受納するラックと、
前記ラックの下方に設けられて洗浄水を噴射する噴射アームと、
前記噴射アームに洗浄水を繰り返して加圧供給するための上部ポンプと、洗浄水を排水するための下部ポンプが含まれる循環／排水兼用ポンプ、及び
前記ケース内部の底面に集水して前記循環／排水兼用ポンプに吐出されるようにする洗浄流路上に形成された集水桶と、前記集水桶に備えられて汚物をろ過するためのフィルタと、前記フィルタの自浄作用を遂行するフィルタ自浄手段が含まれて洗浄水をろ過するろ過手段が含まれ、
前記フィルタ自浄手段は前記フィルタの外部に配置されて洗浄水が噴射されるようにする噴射部と、
前記噴射部に洗浄水が供給されるようにするために、両端が前記噴射部と前記上部ポンプに連結される連結部と、
前記上部ポンプに形成されて水流により洗浄時には閉鎖され、排水時には開放されて前記上部ポンプにより加圧された洗浄水が前記連結部に吐出されるようにする開閉部が含まれることを特徴とする食器洗浄器。
【請求項９】
前記フィルタは前記集水桶の上側に配置される１次フィルタと、
前記１次フィルタの下側に配置されて前記１次フィルタにろ過されない汚物が再びろ過されるようにする２次フィルタが含まれて構成されることを特徴とする請求項８に記載の食器洗浄器。
【請求項１０】
前記集水桶での洗浄水が洗浄時に前記上部ポンプに吸入されるようにする洗浄吸入口と、
前記集水桶での洗浄水が排水時に前記下部ポンプに吸入されるようにする排水吸入口がさらに含まれることを特徴とする請求項８に記載の食器洗浄器。
【請求項１１】
ケースと、
前記ケースに装着されて食器を受納するラックと、
前記ラックの下方に設けられて洗浄水を噴射する噴射アームと、
前記噴射アームに洗浄水を繰り返して加圧供給するための上部ポンプと、洗浄水を排水するための下部ポンプが含まれる循環／排水兼用ポンプ、及び
前記ケース内部の底面に集水して前記循環／排水兼用ポンプに吐出されるようにする洗浄流路上に形成された集水桶と、
前記ケース内部の底面下部に備えられて前記上部ポンプの洗浄吐出口と前記下部ポンプの排水流路とを連結する汚物採集室と、前記汚物採集室上面に装着されて上側に吐出される洗浄水から汚物がろ過されるようにするための微細フィルタと、前記微細フィルタの自浄作用を遂行する微細フィルタ自浄手段で構成されて洗浄水をろ過するろ過手段が含まれ、
前記循環／排水兼用ポンプには、
駆動モータと、
前記駆動モータと連結され、前記上部ポンプと前記下部ポンプが各々配置されるように、内部空間が洗浄流路と連結される循環部及び排水流路と連結される排水部に両分されるポンプケーシングが含まれることを特徴とする食器洗浄器。
【請求項１２】
前記微細フィルタ自浄手段は前記噴射アームの底面に形成されて下方に洗浄水を噴射することによって微細フィルタに粘着した汚物を払い落とす補助ノズルが含まれることを特徴とする請求項１１に記載の食器洗浄器。
【請求項１３】
前記汚物採集室には前記上部ポンプから強く流入する洗浄水の流れを分散させて、汚物が前記微細フィルタの一側に集中粘着することを防止する分散手段がさらに含まれることを特徴とする請求項１１に記載の食器洗浄器。
【請求項１４】
前記汚物採集室には前記上部ポンプの加圧により流入する洗浄水の流れを分散させることによって、汚物が前記微細フィルタの一側に集中粘着することを防止するための阻流板がさらに含まれることを特徴とする請求項１１に記載の食器洗浄器。
【請求項１５】
前記集水桶には汚物がろ過されるようにする所定のフィルタ構造がさらに含まれることを特徴とする請求項１１に記載の食器洗浄器。
【発明の詳細な説明】
【０００１】
【発明の属する技術分野】
本発明は食器洗浄器に関するものであり、より詳細には構造が簡単で、洗浄水のろ過機能が向上されるようにした食器洗浄器に関するものである。
【０００２】
【従来の技術】
食器洗浄器は洗剤が混合された洗浄水を噴射して食器を自動洗浄する機器であり、多様な構造及び形状の食器洗浄器が提案されたことがあるが、以下ではこのような従来の食器洗浄器の概略的な構成に対して説明する。
図１５は従来の食器洗浄器の構成を説明する図面である。
図１５を参照すると、従来の食器洗浄器はケース１０と、前記ケース１０に装着されて食器を受納するラック２０と、前記ラック２０の下方に設けられた噴射アーム３０と、前記噴射アーム３０に洗浄水を加圧供給する循環ポンプ４０及び、洗浄水を排水する排水ポンプ５０、洗浄水のろ過のためのろ過手段等で構成されている。
【０００３】
また、噴射アーム３０はアームホルダー３２により水平回転自在に支持されており、噴射アーム３０には多数個の噴射ノズル３０１が前記ラック２０に向けるように上面に備わった構造になってある。そして、循環ポンプ４０は洗浄水の供給のために吐出口がアームホルダー３２と連結されて、吸入口がろ過手段を構成する集水桶６０と連結されている。
【０００４】
一方、ろ過手段はケース１０内部の底面下部に備わった集水桶６０と、前記集水桶６０に内蔵された１次フィルタ（荒い目フィルタ）６２、２次フィルタ（細い目フィルタ）６４で構成されているが、前記集水桶６０の上面はいわゆる洗浄空間側に開放されて、側方には循環ポンプ４０、下方には排水ポンプ５０と連結される。２次フィルタ６４は下方が排水ポンプ５０と連通されるパイプ状に構成されており、１次フィルタ６２は２次フィルタ６４内に備わったろ過網状になってある。
【０００５】
上述したような従来技術による食器洗浄器の作動は大別して洗浄段階と排水段階に分けて遂行されるが、洗浄段階では水と洗剤が混合された洗浄水が循環ポンプ４０により噴射アーム３０に加圧供給されて噴射ノズル３０１を通してラック２０に載置された食器ｄに噴射されることによって食器ｄの洗浄作用が行われる。そして、排水段階では排水ポンプ５０の作動によって洗浄水が排出される。
【０００６】
図１６は従来の食器洗浄器のろ過手段を説明する図面である。
図１５及び図１６を参照して洗浄段階と排水段階を詳細に説明すると、噴射アーム３０から噴射された洗浄水は図１６に示されたように底の集水桶６０に集められた次に、再び循環ポンプ４０により噴射アーム３０側に供給される循環作動を行うようになり、洗浄水が循環される過程で食器ｄから分離された飲食残渣などの汚物は集水桶６０内の１，２次フィルタ６２，６４によりろ過されることによって洗浄水が加重されて汚染されることが防止される。一方、この時排水ポンプ５０は作動されないようにして洗浄水が排水されないようにする。
【０００７】
一定時間の洗浄段階が終了された後には排水段階が進められるが、排水段階では排水ポンプ５０の作動により洗浄水が排水される。この時粒子が大きな汚物は１次フィルタ６２によりろ過されて１次フィルタ６２内に残存するようになることによって排水口が詰まる現像が防止され、１次フィルタ６２を通過して２次フィルタ６４にろ過された粒子が小さい汚物は排水ポンプ５０の排水口を通して洗浄水と一緒に排出される。
【０００８】
食器洗浄時にはいわゆる一回の水満たしで１回の洗浄排水段階を経るようになり、大体１回の食器洗浄時には三回ないし四回の水満たし及びこれによる洗浄及び排水段階を経るようになることによって食器の洗浄効率を高めるようにする。
しかし、上述したような従来技術による食器洗浄器は洗浄及び濯ぎ過程に用いられる循環ポンプ４０と、排水過程に用いられる排水ポンプ５０を各々必要とするために構造が複雑で生産原価が高いという構造的な問題点を有している。
【０００９】
また、従来技術による食器洗浄器によると洗浄段階で２次フィルタ６４の構造的な特性上（細い目）汚物が２次フィルタ６４に粘着して、粘着した汚物が排水段階で円滑に排出されないために新しく供給された洗浄水が汚染されることによって洗浄効率が低下し、粘着した汚物は新しく供給された洗浄水の循環効率を落とす問題点が生じる。
また、最終的に洗浄が終了された次には各フィルタ６２，６４によりろ過された汚物を除去しなければならないが、１次フィルタ６２によりろ過された汚物は比較的粒子が大きなものであるので除去が容易であるが、２次フィルタ６４に粘り付いた微細汚物は除去が難しいために使用便宜性が落ちるという問題点も生じる。
【００１０】
【発明が解決しようとする課題】
本発明は前記のような問題点を改善するためのものであり、本発明の目的は、食器洗浄器の流路とポンプ及びろ過構造を新しく提供することにある。
【００１１】
【課題を解決するための手段】
前記のような目的を達成するための本発明は、ケースと、前記ケースに装着されて食器を受納するラックと、前記ラックの下方に設けられて洗浄水を噴射する噴射アームと、前記噴射アームに洗浄水を繰り返して加圧供給するための上部ポンプと、洗浄水を排水するための下部ポンプが含まれる循環／排水兼用ポンプ、及び前記ケース内部の底面下部で前記循環／排水兼用ポンプにつながる洗浄流路上に形成された集水桶と、前記集水桶に備えられて汚物をろ過するためのフィルタと、前記ケース内部の底面下部に備えられて前記上部ポンプの洗浄吐出口と前記下部ポンプの排水流路とを連結する汚物採集室と、前記汚物採集室上面に装着されて上側に吐出される洗浄水から汚物をろ過するための微細フィルタと、を含むろ過手段が含まれ、前記循環／排水兼用ポンプには、駆動モータと、前記駆動モータと連結され、前記上部ポンプと前記下部ポンプが各々配置されるように、内部空間が洗浄流路と連結される循環部及び排水流路と連結される排水部に両分されるポンプケーシングが主な要素として備わっていることである。
【００１２】
このような本発明の食器洗浄器は自浄手段が内在されているろ過手段が適用されることによって、ユーザーがより便利に食器洗浄器を用いることができるようにする効果がある。
【００１３】
【発明の実施の形態】
以下、本発明の実施形態を添付された図１ないし図１０を参照して一団の汚物ろ過手段を詳細に説明する。
本発明の実施形態による食器洗浄器は各噴射アーム３０に洗浄水を加圧供給すると共に洗浄水を排水する循環／排水兼用ポンプ７０と、洗浄水をろ過するろ過手段を含んで構成される。
【００１４】
前記循環／排水兼用ポンプ７０は図２に示されたように駆動モータ７２及び、循環部７４１及び排水部７４２に内部空間が両分されるポンプケーシング７４と、前記ポンプケーシング７４内の循環部７４１及び排水部７４２に各々配置されて駆動モータ７２の回転軸に連結され流動を形成する上下部ポンプ７６，７８で構成される。特に、上部ポンプ７６は遠心ポンプが用いられることが望ましく、下部ポンプ７８は摩擦ポンプが用いられることが望ましい。
【００１５】
ここで、上下部ポンプ７６，７８は各々給水及び排水を担当し、ポンプケーシング７４の循環部７４１には洗浄吸入口７４ａ及び洗浄吐出口７４ｂが形成されて、排水部７４２には排水吸入口７４ｃ及び排水吐出口７４ｄが形成される。（図３参照）
そして、前記ろ過手段はケース１０内部の底面下部に備えられて前記循環／排水兼用ポンプ７０に吸入される洗浄流路上に位置する集水桶８０及び集水桶８０内に備えられた１次フィルタ８２及び２次フィルタ（図１１の８１参照）と、ケース１０内部の底面下部に備えられた汚物採集室９０と、前記汚物採集室９０上面に装着された微細フィルタ９２と、前記微細フィルタ９２の自浄作用を遂行する微細フィルタ自浄手段で構成される。また、前記１次フィルタ８２及び２次フィルタ８１にも自浄手段を形成することができるが、これに対しては後述する。
【００１６】
前記１次フィルタ８２は従来のようなかご形態の荒い目フィルタとして比較的粒子が大きな汚物をろ過し、前記微細フィルタ９２は前記１次フィルタ８２より目が細い平板形態であり粒子が大きな汚物をろ過するようになる。
そして、微細フィルタ自浄手段は噴射アーム３０の底面に備えられて下方に洗浄水を噴射することによって微細フィルタ９２に粘着した汚物を払い落とす補助ノズル（図７の３０２参照）で構成されるが、前記補助ノズル３０２は噴射アームの回転時微細フィルタ９２の上方を横ぎるように噴射アーム３０の回転中心から所定の間隔を置いて離れて位置する。
【００１７】
上述したような本実施形態による食器洗浄器の作動を説明すると次のようである。
まず、洗浄過程では水と洗剤が混合された洗浄水が循環／排水兼用ポンプ７０により洗浄吐出口７４ｂを通して噴射アーム３０に供給されて噴射ノズル３０１からラック２０に載置された食器ｄに噴射されることによって食器ｄの洗浄作用が行われる。
【００１８】
すなわち、図３に示されたように洗浄流路と連結された上部ポンプ７６が時計方向に回転することによって洗浄吸入口７４ａを通して洗浄水（図面上太い矢表示）がポンプケーシング７４の循環部７４１に流入して、上部ポンプ７６により吸入された洗浄水が加圧されて噴射アーム３０側に吐出されることである。
【００１９】
この時、図４に示されたように下部ポンプ７８は上部ポンプ７６と同一な方向に回転するようになって、排水吐出口７４ｄ側に吸入力を加え排水吸入口７４ｃ側に吐出力を加えるようになる。したがって、排水吸入口７４ｃを通した排水部７４２内部への洗浄水吸入作用は行われないようになる。
【００２０】
そして、洗浄過程終了後に遂行される排水過程では循環／排水兼用ポンプ７０の回転作動方向が洗浄過程と反対、すなわち反時計方向になるために図５に示されたように下部ポンプ７８も反時計方向に回転するようになる。したがって、排水吸入口７４ｃ側に吸入力が印加されて排水吐出口７４ｄ側に吐出力が印加されて洗浄水が排水部７４２を経て排水されて、循環部７４１の洗浄吸入口７４ａには上部ポンプ７６による吐出力が印加されて洗浄水の循環作用は行われないようになる。
【００２１】
洗浄過程及び排水過程ではろ過手段によるろ過作用も進められるが、洗浄水のろ過作用は１次フィルタ８２及び２次フィルタ８１による主ろ過作用と微細フィルタ９２による補助ろ過作用に区分される。
前記１次フィルタ８２及び２次フィルタ８１による主ろ過作用は噴射アーム３０から噴射された洗浄水が１回循環される中、全部１次フィルタ８２及び２次フィルタ８１を通過しながら洗浄水に混ざった飲食残渣などの汚物がろ過される方式で行われる。
【００２２】
前記微細フィルタ９２による補助ろ過作用は図６に示されたように循環／排水兼用ポンプ７０から吐出された洗浄水の一部が噴射アーム３０に流入する前に分岐流路７４ｅを通して微細フィルタ９２下の汚物採集室９０に流入した次に、微細フィルタ９２を通して上方に噴出されることによって（図７参照）前記１次フィルタ８２によりろ過されない微細な汚物が微細フィルタ９２によりろ過される方式で行われる。
洗浄過程で洗浄水の循環が一定回数ほど繰り返される場合には、一回給水された洗浄水全量が微細フィルタ９２を経ることと同様な効果があらわれるために洗浄水に含まれた微細汚物が全部ろ過される。
【００２３】
一方、洗浄過程で各噴射アーム３０では上方に向けた多数個の噴射ノズル３０１から洗浄水が噴射されて食器を洗浄するようになり、図７に示されたように噴射アーム３０には補助ノズル３０２が形成されて下方に洗浄水が噴射されるが、下方に噴射される洗浄水によると微細フィルタ９２の上面が間欠的に打撃されることによって微細フィルタ９２の底面に粘着した異物質が払い落とされるいわゆる自浄機能が遂行される。
【００２４】
したがって、汚物採集室９０に捕集された汚物は前で説明した自浄機能により汚物採集室９０内で浮遊状態を維持するようになり、微細フィルタ９２に汚物が粘着して部分的に詰まる現像が生じないようになる。
洗浄過程が終了された後排水過程が進行されると図８に示されたように汚物採集室９０に捕集された汚物が洗浄水と一緒に排水流路７４ｆを通して円滑に排出されるために食器洗浄後に微細フィルタ９２を別途に洗浄しなくても良い。
【００２５】
一方、本発明のまた他の実施例によると汚物採集室９０に流入する洗浄水の流れを分散させることによって、汚物が洗浄水の流れによって微細フィルタ９２の一側（特に、吸入される側の反対側）に集中粘着することを防止する分散手段がさらに備わるが、前記分散手段は図９に示されたように汚物採集室９０内に一定な間隔を置いて相互打ち違えるように配置された多数個の阻流板（バッフル）９４で構成される。
【００２６】
このような分散手段が備わった場合には循環／排水兼用ポンプ７０の加圧作用で汚物採集室９０に流入した洗浄水の強い流れが各阻流板９４により遮断分散されるために、洗浄水は微細フィルタ９２の全部位にかかり均一に吐出されて汚物のろ過作用をより効果的に起行なうことができる。
それゆえ、洗浄水に含まれた汚物も微細フィルタ９２の全部位にかかり均等にかかるようになり、補助ノズル３０２から噴射される洗浄水による自浄機能がより効果的に遂行されることになる。
【００２７】
以下では本発明による実施形態において汚物ろ過効果をより高めることができるようにするフィルタ自浄手段としての構成に対して説明する。
図１１は本実施形態において洗浄時に集水桶等の状態を説明する図面であり、図１２は本実施形態において排水時に集水桶等の状態を説明する図面であり、図１３は本実施形態において洗浄時に上部ポンプの作動を説明する図面であり、図１４は排水時に上部ポンプの作動を説明する図面である。
【００２８】
図１１ないし図１４を参照すると、本発明の実施形態による食器洗浄器は排水時循環／排水兼用ポンプ７０により加圧された洗浄水を噴射して集水桶８０内の１次フィルタ８２と２次フィルタ８１内面に粘着した異物質を払い落とすことができるフィルタ自浄手段を含んで構成される。
前記フィルタ自浄手段は異物質洗浄ノズル８４と、循環／排水兼用ポンプ７０の上部ポンプ７６側と異物質洗浄ノズル８４を連結する補助吐出パイプ７４ｇと、前記補助吐出パイプ７４ｇの吸入側に装着される遮断膜（図１３の７９）で構成される。
【００２９】
ここで、異物質洗浄ノズル８４は１次フィルタ８２及び２次フィルタ８１の外側の方から内側に向けるように配置されて、前記遮断膜７９は大体三角形のブロック形構造として一側頂点部位が自由回動自在に締結されて上部ポンプ７６の回転方向によって水流により回動することによって前記補助吐出パイプ７４ｇの吸入口を開閉するようになる。
特に、前記異物質洗浄ノズル８４はフィルタが効果的に自浄されるようにするために、洗浄中に汚物が主にかかる洗浄吸入口７４ａの方向に設けられるようにすることが望ましい。
【００３０】
上述したように構成された本実施形態による食器洗浄器の作動を説明すると次のようである。
まず、洗浄作動時には循環／排水兼用ポンプ７０では上部ポンプ７６が時計方向に回転することによって上部ポンプ７６内で形成される水流により遮断膜７９が回動連結された頂点を中心に反時計方向に回動して補助吐出パイプ７４ｇの吸入口を遮るようになって、異物質洗浄ノズル８４を通しては水は噴射されず噴射アーム３０を通してのみ洗浄水が供給される（図１３参照）。
【００３１】
そして、集水桶８０を経て１次フィルタ８２及び２次フィルタ８１により汚物がろ過されて、汚物がろ過された洗浄水は洗浄吸入口７４ａを経て循環／排水兼用ポンプ７０に吸入される。この時１次フィルタ８２及び２次フィルタ８１で汚物は洗浄吸入口７４ａが形成されている方向に重点的に集まるようになる（図１１参照）。
【００３２】
一方、排水作動時には上部ポンプ７６の回転方向が洗浄作動時と反対に反時計方向に回転されることによって上部ポンプ７６内で形成される水流も洗浄作動時と反対になって、このような水流変化により遮断膜７９が頂点を中心に時計方向に回動して補助吐出パイプ７４ｇの吸入口が開放されて洗浄水が異物質洗浄ノズル８４を通して供給される（図１４参照）。一方、排水作動時に補助吐出パイプ７４ｇに加えられる圧力は洗浄時に上部ポンプ７６によって加えられる圧力に比べては小さいが、上下部フィルタ８２，８１に粘着している異物質を払い落とすことには十分である。
【００３３】
そして、洗浄水が上部ポンプ７６により加圧されて補助吐出パイプ７４ｇを通して異物質洗浄ノズル８４に供給されて、異物質洗浄ノズル８４では供給された洗浄水が１次フィルタ８２及び２次フィルタ８１側に噴射されてフィルタ８２，８１内側に粘着した異物質を払い落とす（図１２参照）。
また、異物質洗浄ノズル８４によりフィルタ８２，８１から分離された異物質は、排水される洗浄水と一緒に排水吸入口７４ｃを通して円滑に排水されることによって再給水される洗浄水が加重汚染されたり、再給水される洗浄水の循環効率が落ちないようにする。
【００３４】
【発明の効果】
以上で説明したように本発明による食器洗浄器は第一、洗浄水循環と排水を同時に遂行する循環／排水兼用ポンプが備わることによって構造が簡単で生産原価が低廉で、第二、洗浄段階で微細フィルタによりろ過された異物質が排水段階で円滑に排出されるために新しく供給される洗浄水が加重汚染されず、第三、微細フィルタが自浄されることによって食器洗浄後別途に異物質を除去するわずらわしい過程を必要とせず、第四、異物質洗浄ノズルが適用されて汚物がより効率的に排出されるようにすることによって洗浄水の加重汚染防止及び洗浄水の循環効率が高まる等、生産性と機能及び使用便宜性が良いという利点を提供する。
【図面の簡単な説明】
【図１】本発明による食器洗浄器の実施形態を示す斜視図である。
【図２】本発明による食器洗浄器の実施形態に適用される循環／排水兼用ポンプの垂直断面図である。
【図３】本発明の実施形態に適用される循環／排水兼用ポンプの作動を説明する図である。
【図４】本発明の実施形態に適用される循環／排水兼用ポンプの作動を説明する図である。
【図５】本発明の実施形態に適用される循環／排水兼用ポンプの作動を説明する図である。
【図６】本発明による食器洗浄器の実施形態の洗浄水循環経路を説明する図である。
【図７】本発明による食器洗浄器の実施形態に適用される微細フィルタの作動を説明する図である。
【図８】本発明による食器洗浄器に適用される微細フィルタの作動を説明する図である。
【図９】本発明による食器洗浄器の実施形態に適用される微細フィルタの分散手段を説明する汚物採集室の水平断面図である。
【図１０】本発明による食器洗浄器の実施形態に適用される微細フィルタの分散手段の作動を説明する汚物採集室の垂直断面図である。
【図１１】本発明による食器洗浄器の実施形態において洗浄時の集水桶等の状態を説明する図である。
【図１２】本発明による食器洗浄器の実施形態において排水時の集水桶等の状態を説明する図である。
【図１３】本発明による食器洗浄器の実施形態において洗浄時の上部ポンプの作動を説明する図である。
【図１４】本発明による食器洗浄器の実施形態において排水時の上部ポンプの作動を説明する図である。
【図１５】従来の食器洗浄器の構成を説明する図である。
【図１６】従来の食器洗浄器のろ過手段を説明する図である。
【符号の説明】
１０…ケース
２０…ラック
３０…噴射アーム
３２…アームホルダー
４０…循環ポンプ
５０…排水ポンプ
６０…集水桶
６２…１次フィルタ
６４…２次フィルタ
７０…循環／排水兼用ポンプ
７２…駆動モータ
７４…ポンプケーシング
７４ａ…洗浄吸入口
７４ｂ…洗浄吐出口
７４ｃ…排水吸入口
７４ｄ…排水吐出口
７４ｅ…分岐流路
７４ｆ…排水流路
７４ｇ…補助吐出パイプ
７６…上部ポンプ
７８…下部ポンプ
７９…遮断膜
８１…２次フィルタ
８２…１次フィルタ
８４…異物質洗浄ノズル
９０…汚物採集室
９２…微細フィルタ
９４…阻流板
３０１…噴射ノズル
３０２…補助ノズル
７４１…循環部
７４２…排水部
ｄ…食器
【図１】
0004739617.tif 000002
【図２】
0004739617.tif 000003
【図３】
0004739617.tif 000004
【図４】
0004739617.tif 000005
【図５】
0004739617.tif 000006
【図６】
0004739617.tif 000007
【図７】
0004739617.tif 000008
【図８】
0004739617.tif 000009
【図９】
0004739617.tif 000010
【図１０】
0004739617.tif 000011
【図１１】
0004739617.tif 000012
【図１２】
0004739617.tif 000013
【図１３】
0004739617.tif 000014
【図１４】
0004739617.tif 000015
【図１５】
0004739617.tif 000016
【図１６】
0004739617.tif 000017